【手続補正書】
【提出日】平成24年11月13日(2012.11.13)
【手続補正１】
【補正対象書類名】特許請求の範囲
【補正対象項目名】全文
【補正方法】変更
【補正の内容】
【特許請求の範囲】
【請求項１】
トナー像を担持する回転可能な像担持体と、
前記像担持体の表面に当接して前記像担持体の表面を帯電する帯電部材と、
前記像担持体の表面に当接し、前記像担持体から被転写体にトナー像を転写した後に前記像担持体の表面に残留するトナーを除去するクリーニングブレードと、
前記帯電部材に印加される電圧を制御する制御装置と、
を備え、
前記制御装置は、
放電開始電圧以上のピーク間電圧を備える電圧を第１の帯電電圧、
放電開始電圧より小さいピーク間電圧を備える電圧を第２の帯電電圧として、
画像形成をする時には、前記帯電部材に前記第１の帯電電圧を印加し、
画像形成を終了した後で前記帯電部材に印加されるＡＣ電圧成分がオフされる前に、前記像担持体の少なくとも１周以上の領域に対して前記第２の帯電電圧を印加するように制御することを特徴とする画像形成装置。
【請求項２】
前記制御装置は、前記像担持体の回転が開始されてから画像を形成する前において前記第２の帯電電圧を印加するように制御することを特徴とする請求項１に記載の画像形成装置。
【請求項３】
トナー像を担持する回転可能な像担持体と、
前記像担持体の表面に当接して前記像担持体の表面を帯電する帯電部材と、
前記像担持体の表面に当接し、前記像担持体から被転写体にトナー像を転写した後に前記像担持体の表面に残留するトナーを除去するクリーニングブレードと、
前記帯電部材に印加される電圧を制御する制御装置と、
を備え、
前記制御装置は、
放電開始電圧以上のピーク間電圧を備える電圧を第１の帯電電圧、
放電開始電圧より小さいピーク間電圧を備える電圧を第２の帯電電圧として、
画像形成をする時には、前記帯電部材に前記第１の帯電電圧を印加し、
前記像担持体の回転が開始されてから画像形成を行う前において、前記像担持体の少な
くとも１周以上の領域に対して前記第２の帯電電圧を印加するように制御することを特徴とする画像形成装置。
【請求項４】
前記像担持体の回転が開始されてから画像形成を行う前において、前記第２の帯電電圧を印加した後、前記像担持体の少なくとも１周以上の領域に対して前記第１の帯電電圧を印加してから画像形成を行うことを特徴とする請求項２または３に記載の画像形成装置。
【請求項５】
前記第２の帯電電圧は、６００Ｖ以上のピーク間電圧を有する電圧であることを特徴とする請求項１乃至４のいずれか１項に記載の画像形成装置。
【手続補正２】
【補正対象書類名】明細書
【補正対象項目名】００１３
【補正方法】変更
【補正の内容】
【００１３】
上記目的を達成するために本発明の代表的な構成は、
トナー像を担持する回転可能な像担持体と、
前記像担持体の表面に当接して前記像担持体の表面を帯電する帯電部材と、
前記像担持体の表面に当接し、前記像担持体から被転写体にトナー像を転写した後に前記像担持体の表面に残留するトナーを除去するクリーニングブレードと、
前記帯電部材に印加される電圧を制御する制御装置と、
を備え、
前記制御装置は、
放電開始電圧以上のピーク間電圧を備える電圧を第１の帯電電圧、
放電開始電圧より小さいピーク間電圧を備える電圧を第２の帯電電圧として、
画像形成をする時には、前記帯電部材に前記第１の帯電電圧を印加し、
画像形成を終了した後で前記帯電部材に印加されるＡＣ電圧成分がオフされる前に、前記像担持体の少なくとも１周以上の領域に対して前記第２の帯電電圧を印加するように制御することを特徴とする。
また、本発明の別の構成は、
トナー像を担持する回転可能な像担持体と、
前記像担持体の表面に当接して前記像担持体の表面を帯電する帯電部材と、
前記像担持体の表面に当接し、前記像担持体から被転写体にトナー像を転写した後に前記像担持体の表面に残留するトナーを除去するクリーニングブレードと、
前記帯電部材に印加される電圧を制御する制御装置と、
を備え、
前記制御装置は、
放電開始電圧以上のピーク間電圧を備える電圧を第１の帯電電圧、
放電開始電圧より小さいピーク間電圧を備える電圧を第２の帯電電圧として、
画像形成をする時には、前記帯電部材に前記第１の帯電電圧を印加し、
前記像担持体の回転が開始されてから画像形成を行う前において、前記像担持体の少なくとも１周以上の領域に対して前記第２の帯電電圧を印加するように制御することを特徴とする。
【手続補正３】
【補正対象書類名】明細書
【補正対象項目名】００３０
【補正方法】変更
【補正の内容】
【００３０】
（１−４：現像装置）
現像装置５１には、回転可能な現像スリーブ３上のトナー層厚を規制する現像ブレード８が設けられており、さらに現像スリーブ３の内部には不図示のマグネットが設けられている。マグネットを設けることにより、現像容器６内において磁力の作用によってトナーを現像ブレード８表面に付着させることができる。現像スリーブ３表面に担持されたトナーは、現像スリーブ３の回転によって搬送され、トナー相互の摩擦帯電、及び現像ブレード８による摩擦帯電により帯電する。そして、感光体ドラム１表面に対向する現像領域へと搬送される。また、現像スリーブ３には、ＡＣ電圧とＤＣ電圧とを重畳した現像電圧が印加されており、これにより、現像スリーブ３上のトナーが現像領域において感光体ドラム１表面に飛翔し、静電気的に静電潜像に付着する。
【手続補正４】
【補正対象書類名】明細書
【補正対象項目名】００３２
【補正方法】変更
【補正の内容】
【００３２】
（１−６：シーケンスチャート）
図１を参照して、本実施形態におけるシーケンスチャートについて説明する。ここでは、画像形成装置に対して入力されたジョブが終了後（画像形成後）、感光体ドラム１の回転が停止するまでの間における、駆動モータ、帯電電圧、現像電圧、転写電圧の各シーケンスについて説明する。なお、ジョブに応じて画像を形成後、感光体ドラム１の回転が停止するまでの工程を、ここでは「後工程」と呼ぶ。後工程では、シート材が定着器１０９を通過して排出されるまでの間に、感光体ドラム１の残像の電位を一定にする、または転写ローラ１０７に付着したトナーを吐き出すといった、次回のジョブに備えたプロセスが実行される。なお、現像電圧はＯＦＦにされている。本実施形態では、４ｓの後工程が設けられている。また、以下で説明するシーケンスチャートは、本実施形態に係る画像形成装置の駆動を制御する不図示の制御部によって制御されている。
【手続補正５】
【補正対象書類名】明細書
【補正対象項目名】００３３
【補正方法】変更
【補正の内容】
【００３３】
後工程に入る前の画像形成中では、帯電ローラ２に対しては放電開始電圧より大きいピーク間電圧値を有する帯電ＡＣ電圧、及び帯電ＤＣ電圧（第１の帯電電圧）が印加されているが、本実施形態では、後工程に入った時に、帯電ＡＣ電圧を放電開始電圧以下の電圧Ｘに切り換えた第２の帯電電圧を印加している。なお、本実施形態では、画像形成中に帯電ローラ２に対して１５００Ｖのピーク間電圧を有する帯電ＡＣ電圧が印加されている。また、後工程において帯電ローラ２に電圧Ｘを印加し続ける時間をｔ（ｓｅｃ）とする。
【手続補正６】
【補正対象書類名】明細書
【補正対象項目名】００４１
【補正方法】変更
【補正の内容】
【００４１】
以上から、帯電ＡＣ電圧（のピーク間電圧）を、放電開始電圧のピーク間電圧値以下で
、かつ６００Ｖ以上とすると、クリーニング性を良好に保ち、画像不良を抑制することが可能になることがわかる。帯電ＡＣ電圧をこの範囲に設定すると、放電生成物の形成を抑えつつ、スティックスリップ現象を緩和することができるからである。なお、帯電ＡＣ電圧は、少なくとも感光体ドラム１が１回転する間は印加し続けるとよい（すなわち、少なくとも感光体ドラム１の1周分の領域に対して印加するとよい）（本実施形態では、ｔ＝
０．５ｓ以上）。